(57)【要約】【課題】  本発明は異なる左右方向の大きな揺れ動きを目地部内で吸収して、外方へ突出したり、損傷したりするのを確実に防止することができる目地部用屋根を得るにある。【解決手段】  屋根を取付ける部位の一方の建物の目地部側の躯体に一端部が水平方向の枢支軸で枢支され中間部も水平方向の枢支軸で枢支された山形状で他端部が他方の建物の目地部側の躯体に当接可能な回動可能な屋根プレートと、この屋根プレートの下部位置の一方の建物の目地部側の躯体に一端部が取付けられ他端部が屋根プレートの他端部が取付けられた少なくとも1個以上の常時伸長するように付勢された伸縮可能な支持体と、屋根プレートの他端部が他方の建物の目地部側の躯体に当接するように設けられたストッパー機構とで目地部用屋根を構成している。【選択図】  図３
2005256484.tif 000002
【特許請求の範囲】
【請求項１】
目地部を介して設けられた左右の建物の、該目地部に屋根を取付ける部位の一方の建物の目地部側の躯体に、一端部が水平方向の枢支軸で枢支され、中間部も水平方向の枢支軸で枢支された山形状で他端部が他方の建物の目地部側の躯体に当接可能な回動可能な屋根プレートと、この屋根プレートの下部位置の一方の建物の目地部側の躯体に一端部が取付けられ、他端部が該屋根プレートの他端部が取付けられた少なくとも1個以上の常時伸長するように付勢された伸縮可能な支持体と、前記屋根プレートの他端部が他方の建物の目地部側の躯体に当接、あるいはわずかな隙間を介して位置するように設けられたストッパー機構とを備えることを特徴とする目地部用屋根。
【請求項２】
目地部を介して設けられた左右の建物の、該目地部に屋根を取付ける部位の一方の建物の目地部側の躯体に、一端部が水平方向の枢支軸で枢支され、中間部も水平方向の枢支軸で枢支された山形状で他端部が他方の建物の目地部側の躯体に当接可能な回動可能な屋根プレートと、この屋根プレートの下部位置の一方の建物の目地部側の躯体に一端部が枢支され、他端部が該屋根プレートの他端部が枢支された少なくとも２個以上の常時伸長するように付勢された伸縮可能なリンク機構を用いた支持体と、前記屋根プレートの他端部が他方の建物の目地部側の躯体に当接、あるいはわずかな隙間を介して位置するように、前記少なくとも２個以上の支持体の伸長をそれぞれ阻止するストッパー機構とを備えることを特徴とする目地部用屋根。
【請求項３】
屋根プレートから流れる雨水を受けることができるように、左右の建物の目地部側の躯体に、左右の樋が設けられていることを特徴とする請求項１、２いずれかに記載の目地部用屋根。
【発明の詳細な説明】
【技術分野】
【０００１】
本発明は目地部を介して設けられた左右の建物の目地部に取付けられる目地部用屋根に関する。
【背景技術】
【０００２】
従来のこの種の目地部用屋根は、一方の建物が低い場合には庇を設けたり、ほぼ同じ高さの場合には笠木装置を用いている。
このため、異なる左右方向の大きな揺れ動き時に外方へ突出したり、その動きを吸収できず損傷するという欠点があった。
【特許文献１】特許第３１６０５５７
【発明の開示】
【発明が解決しようとする課題】
【０００３】
本発明は以上のような従来の欠点に鑑み、異なる左右方向の大きな揺れ動きを目地部内で吸収して、外方へ突出したり、損傷したりするのを確実に防止することができる目地部用屋根を提供することを目的としている。                    
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は目地部を介して設けられた左右の建物の該目地部に屋根を取付ける部位の一方の建物の目地部側の躯体に、一端部が水平方向の枢支軸で枢支され、中間部も水平方向の枢支軸で枢支された山形状で他端部が他方の建物の目地部側の躯体に当接可能な回動可能な屋根プレートと、この屋根プレートの下部位置の一方の建物の目地部側の躯体に一端部が取付けられ、他端部が該屋根プレートの他端部が取付けられた少なくとも1個以上の常時伸長するように付勢された伸縮可能な支持体と、前記屋根プレートの他端部が他方の建物の目地部側の躯体に当接、あるいはわずかな隙間を介して位置するように設けられたストッパー機構とで目地部用屋根を構成している。
【発明の効果】
【０００６】
以上の説明から明らかなように、本発明にあっては次に列挙する効果が得られる。
【０００７】
（１）屋根を取付ける部位の一方の建物の目地部側の躯体に、一端部が水平方向の枢支軸で枢支され、中間部も水平方向の枢支軸で枢支された山形状で他端部が他方の建物の目地部側の躯体に当接可能な回動可能な屋根プレートと、この屋根プレートの下部位置の一方の建物の目地部側の躯体に一端部が取付けられ、他端部が該屋根プレートの他端部が取付けられた少なくとも1個以上の常時伸長するように付勢された伸縮可能な支持体と、前記屋根プレートの他端部が他方の建物の目地部側の躯体に当接、あるいはわずかな隙間を介して位置するように設けられたストッパー機構とで構成されているので、目地部が狭くなるように揺れ動いた場合には、屋根プレートの中間部が上方へ突出するとともに、支持体が収縮してその揺れ動きを吸収し、目地部が広くなるように揺れ動いた場合には、一方の建物の目地部側の躯体と一体となって他方の建物の目地部側の躯体より離れ、その揺れ動きを吸収することができる。
したがって、大きな左右方向の揺れ動きを目地部内で確実に吸収することができる。
【０００８】
（２）前記（１）によって、左右の建物の目地部側の躯体間に取付けることができる。
したがって、最適な高さ位置に屋根を設置することができる。
【０００９】
（３）前記（１）によって、構造が簡単で、容易に設置することができる。
【００１０】
（４）請求項２も前記（１）〜（３）と同様な効果が得られる。
【００１１】
（５）請求項３は屋根プレートを伝わって流れる雨水等を、左右の樋に集めて排水することができる。
【発明を実施するための最良の形態】
【００１２】
以下、図面に示す本発明を実施するための最良の形態より、本発明を詳細に説明する。
【００１３】
図１ないし図８に示す本発明を実施するための最良の第１の形態において、１は目地部２を介して設けられた左右の建物３、３の目地部２を覆うように設けられた本発明の目地部用屋根で、この目地部用屋根１は前記左右の建物３、３の屋根を取付ける部位の一方の建物３の目地部側の躯体３ａに複数本のビス４等によって固定されるＣ字状の軸受５および樋６が形成された取付け金具７と、この取付け金具７の軸受５に玉縁形状の枢支軸８が形成された一端部が回動可能に枢支され、中間部である中央部も水平方向の枢支軸9およびＣ字状の軸受１０で枢支された山形状で他端部が他方の建物３の目地部側の躯体３ａに当接可能な回動可能な屋根プレート１１と、この屋根プレート１１の下部位置の一方の建物３の目地部側躯体３ａに固定された、コ字状の取付け金具１２に一端部が枢支ピン１３で枢支され、他端部が該屋根プレート１１の他端部の枢支軸１４に回動可能に取付けられたＣ字状の軸受部１５が形成された取付板１６に固定されたコ字状の取付け金具１２に枢支ピン１３で枢支された四角枠リンク形状の支持リンク１７、この支持リンク１７を常時突出方向に付勢する付勢スプリング１８とからなる複数個の伸縮可能な支持体１９と、前記屋根プレート１１の他端部が他方の建物３の目地部側躯体３ａに当接、あるいはわずかな隙間を介して位置するように取付けられたワイヤー２０を用いたストッパー機構２１と、前記屋根プレート１１の他端部より落下する雨水等を受ける、前記支持体１９の下部位置の他方の建物３の目地部側躯体３ａに取付けられた樋２２と、前記支持体１９の支持リンク１７の中央部の枢支部２３、２３に取付けられた、前記屋根プレート１１を支持する支持杆２４とで構成されている。
【００１４】
上記構成の目地部用屋根１は、目地部２が狭くなるように地震等で揺れ動いた場合には、図７に示すように複数個の支持体１９と屋根プレート１１の他端部が他方の建物３の目地部側の躯体３ａによって押し圧されるため、複数個の支持体１９は収縮するとともに、屋根プレート１１は中央部が上方へ突出して、目地部２内でその揺れ動きを吸収する。
【００１５】
また、目地部２が広くなるように地震等で揺れ動いた場合には、図８に示すように複数個の支持体１９、屋根プレート１１の他端部は他方の建物３の目地部側躯体３ａより離れて、その揺れ動きを目地部２内で吸収する。
なお、揺れ動きが停止すると元の状態に自動的に戻る。
なお、本発明を実施する形態では複数個の支持体１９を用いるものについて説明したが、短い屋根の場合には１個の支持体でもよい。
[発明を実施するための異なる形態]
【００１６】
次に、図９ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図９ないし図１１に示す本発明を実施するための第２の形態において、前記本発明を実施するための最良の第１の形態と主に異なる点は、中央部が枢支ピン２５、２５で枢支された支持リンク１７Ａ、１７Ａの両端部を、それぞれコ字状の取付け金具１２、１２、１２、１２および枢支ピン１３、１３、１３、１３で一方の建物３の目地部側躯体３ａと取付板１６に取付けた複数個の支持体１９Ａを用いるとともに、中央部を両端部にＣ字状の軸受２６、２６が形成されたヒンジ部材２７を用いた屋根プレート１１Ａを用いた点で、このように形成された複数個の支持体１９Ａと屋根プレート１１Ａを用いて構成した目地部用屋根１Ａにしても、前記本発明を実施するための最良の第１の形態と同様な作用効果が得られる。
【００１８】
図１２ないし図１４に示す本発明を実施するための第３の形態において、前記本発明を実施するための第２の形態と主に異なる点は、遊端部である他端部側が小さな高さ寸法で、枢支部である後端部側が大きな高さ寸法となる支持リンク１７Ｂ、１７Ｂを使用する複数個の支持体１９Ｂを用いた点で、このような複数個の支持体１９Ｂを用いて構成した目地部用屋根１Ｂにしても、前記本発明を実施するための第２の形態と同様な作用効果が得られる。
【００１９】
図１５ないし図１７に示す本発明を実施するための第４の形態において、前記本発明を実施するための第３の形態と主に異なる点は、一方の建物３の上端部の目地部側の躯体３ａに取付けるとともに、支持リンク１７Ｂ、１７Ｂの枢支部２３、２３にあらかじめ設定された角度以上に開放するのを阻止するストッパー機構としてのストッパー片２８、２８を取付けた複数個の支持体１９Ｃと、該支持体１９Ｃの下部位置の一方の建物３の目地部側躯体３ａに樋２２を設けた点で、このように構成した目地部用屋根１Ｃにしても、前記本発明を実施するための第３の形態と同様な作用効果が得られる。
【００２０】
図１８ないし図２０に示す本発明を実施するための第５の形態において、前記本発明を実施するための最良の第１の形態と主に異なる点は、三脚等で使用されている伸縮可能な３本以上の伸縮軸２９、３０、３１と、この伸縮軸２９、３０、３１を常時突出方向に付勢する内部に収納された付勢スプリング３２とからなる複数個の支持体１９Ｄを用いた点で、このような複数個の支持体１９Ｄを用いて構成した目地用屋根１Ｄにしても、前記本発明を実施するための最良の第１の形態と同様な作用効果が得られる。
【００２１】
なお、前記本発明を実施するための各形態では、屋根プレート１１、１１Ａの両端部には枢支部材として蝶番を用いてもよい。
また、中央部の枢支部材にも蝶番を用いてもよいが、この場合には雨水が下部へ漏れないようなカバーを上部に設ける処理が必要となる。
さらに、前記本発明を実施するための各形態では、中央部に枢支部を設けた屋根プレートを用いたが、本発明はこれに限らず、中央部より左右にずれた部位に中央枢支部を設けた屋根プレートを用いてもよい。
【産業上の利用可能性】
【００２２】
本発明は目地部用屋根を製造する産業で利用される。
【図面の簡単な説明】
【００２３】
【図１】本発明を実施するための最良の第１の形態の平面図。
【図２】本発明を実施するための最良の第１の形態の底面図。
【図３】図１の３−３線に沿う拡大断面図。
【図４】本発明を実施するための最良の第１の形態の取付け金具の説明図。
【図５】本発明を実施するための最良の第１の形態の屋根プレートの説明図。
【図６】本発明を実施するための最良の第１の形態の支持体の説明図。
【図７】本発明を実施するための最良の第１の形態の目地部が狭くなった動作説明図。
【図８】本発明を実施するための最良の第１の形態の目地部が広くなった動作説明図。
【図９】本発明を実施するための第２の形態の正面図。
【図１０】本発明を実施するための第２の形態の底面図。
【図１１】本発明を実施するための第２の形態の支持体の説明図。
【図１２】本発明を実施するための第３の形態の正面図。
【図１３】本発明を実施するための第３の形態の底面図。
【図１４】本発明を実施するための第３の形態の支持体の説明図。
【図１５】本発明を実施するための第４の形態の正面図。
【図１６】本発明を実施するための第４の形態の底面図。
【図１７】本発明を実施するための第４の形態の支持体の説明図。
【図１８】本発明を実施するための第５の形態の正面図。
【図１９】本発明を実施するための第５の形態の底面図。
【図２０】本発明を実施するための第５の形態の支持体の説明図。
【符号の説明】
【００２４】
１、１Ａ、１Ｂ、１Ｃ、１Ｄ：目地部用屋根、
２：目地部、                  ３：建物、
４：ビス、                    ５：軸受、
６：樋、                      ７：取付け金具、
８：枢支軸、                  ９：枢支軸、
１０：軸受、                  １１、１１Ａ：屋根プレート、
１２：コ字状の取付け金具、    １３：枢支ピン、
１４：枢支軸、                １５：軸受部、
１６：取付板、
１７、１７Ａ、１７Ｂ：支持リンク、
１８：付勢スプリング、
１９、１９Ａ、１９Ｂ、１９Ｃ、１９Ｄ：支持体、
２０：ワイヤー、              ２１：ストッパー機構、
２２：樋、                    ２３：枢支部、
２４：支持杆、                ２５：枢支ピン、
２６：軸受、                  ２７：ヒンジ部材、
２８：ストッパー片、          ２９、３０、３１：伸縮軸、
３２：付勢スプリング。
【図１】
2005256484.tif 000003
【図２】
2005256484.tif 000004
【図３】
2005256484.tif 000005
【図４】
2005256484.tif 000006
【図５】
2005256484.tif 000007
【図６】
2005256484.tif 000008
【図７】
2005256484.tif 000009
【図８】
2005256484.tif 000010
【図９】
2005256484.tif 000011
【図１０】
2005256484.tif 000012
【図１１】
2005256484.tif 000013
【図１２】
2005256484.tif 000014
【図１３】
2005256484.tif 000015
【図１４】
2005256484.tif 000016
【図１５】
2005256484.tif 000017
【図１６】
2005256484.tif 000018
【図１７】
2005256484.tif 000019
【図１８】
2005256484.tif 000020
【図１９】
2005256484.tif 000021
【図２０】
2005256484.tif 000022